(57)【要約】【課題】光学装置および画像形成装置において、装置の発光源の点灯制御用クロックを変更した場合に対応するライン開始信号の生成を可能にすること。【解決手段】この発明の画像形成装置は、まず帯電器１０１によって感光体１０７を帯電させる。帯電した感光体１０７に、光学装置１０２によって画像情報に応じた光照射を行って潜像を形成する。ここで形成された潜像を現像器１０３によって現像する。現像した像を、給紙部１０４から送られるシート材等に転写部１０５によって転写する。シート材等に転写された像を、定着部１０６によって定着する。クリーニング部１０８にて感光体１０７をクリーニングする。カラー画像を形成する場合は、カラー構成色（シアン、マゼンダ、イエロー、ブラックなど）ごとに像を形成し、シート材等に各色の像を重ねて転写することによりカラー画像を形成する。【選択図】        図１
2006234986.tif 000002
【特許請求の範囲】
【請求項１】
画像データに応じて点灯制御される発光源と、
前記発光源から出力される光ビームを主走査方向に偏向する偏向手段と、
前記偏向手段により偏向された光ビームを主走査線上で検知する光ビーム検知手段と、
前記発光源の点灯制御用クロックを生成するクロック生成手段と、
前記発光源の点灯制御用クロックを変更する際、当該発光源の点灯制御用クロック変更前に、前記光ビーム検知手段による前記光ビームの検知のために点灯させる光ビーム点灯タイミングを前記光ビームの検知の前に変更する第１の光ビーム点灯タイミング変更手段と、
を備えていることを特徴とする光学装置。
【請求項２】
前記クロック生成手段は、ＰＬＬ回路を備えていることを特徴とする請求項１に記載の光学装置。
【請求項３】
前記クロック生成手段は、
ＰＬＬ回路と、
前記発光源の点灯制御用クロックの位相を当該クロック１周期の１／ｎ単位（ｎは２以上の整数）で主走査方向の１箇所または複数箇所で可変する位相可変手段と、
を備えていることを特徴とする請求項１に記載の光学装置。
【請求項４】
前記発光源の点灯制御用クロックの変更を前記位相可変手段で行うことを特徴とする請求項３に記載の光学装置。
【請求項５】
前記第１の光ビーム点灯タイミング変更手段は、
変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えていることを特徴とする請求項１〜４のいずれか一つに記載の光学装置。
【請求項６】
前記第１の光ビーム点灯タイミング変更手段は、
前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、
前記第１の判定手段の判定結果に基づき、前記光ビーム点灯タイミングの制御を行う第１の光ビーム点灯タイミング制御手段と、
を備えていることを特徴とする請求項１〜４のいずれか一つに記載の光学装置。
【請求項７】
前記第１の光ビーム点灯タイミング変更手段は、
前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えていることを特徴とする請求項１〜６のいずれか一つに記載の光学装置。
【請求項８】
画像データに応じて点灯制御される発光源と、
前記発光源から出力される光ビームを主走査方向に偏向する偏向手段と、
前記偏向手段により偏向された光ビームを主走査線上で検知する光ビーム検知手段と、
前記発光源の点灯制御用クロックを生成するクロック生成手段と、
前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、
を備えていることを特徴とする光学装置。
【請求項９】
前記クロック生成手段は、ＰＬＬ回路を備えていることを特徴とする請求項８に記載の光学装置。
【請求項１０】
前記クロック生成手段は、
ＰＬＬ回路と、
前記発光源の点灯制御用クロックの位相を当該クロック１周期の１／ｎ単位（ｎは２以上の整数）で主走査方向の１箇所または複数箇所で可変する位相可変手段と、
を備えていることを特徴とする請求項８に記載の光学装置。
【請求項１１】
前記発光源の点灯制御用クロックの変更を前記位相可変手段で行うことを特徴とする請求項１０に記載の光学装置。
【請求項１２】
前記第２の光ビーム点灯タイミング変更手段は、
変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えていることを特徴とする請求項８〜１１のいずれか一つに記載の光学装置。
【請求項１３】
前記第２の光ビーム点灯タイミング変更手段は、
前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、
前記第２の判定手段の判定結果に基づき、前記光ビーム点灯タイミングの制御を行う第２の光ビーム点灯タイミング制御手段と、
を備えていることを特徴とする請求項８〜１１のいずれか一つに記載の光学装置。
【請求項１４】
前記第２の光ビーム点灯タイミング変更手段は、
前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えていることを特徴とする請求項８〜１３のいずれか一つに記載の光学装置。
【請求項１５】
副走査方向に回転または移動する像担持体上を光ビームが走査することにより画像を形成する画像形成装置であって、
画像データに応じて点灯制御される発光源と、
前記発光源から出力される光ビームを主走査方向に偏向する偏向手段と、
前記偏向手段により偏向された光ビームを主走査線上で検知する光ビーム検知手段と、
前記発光源の点灯制御用クロックを生成するクロック生成手段と、
前記発光源の点灯制御用クロックを変更する際、当該発光源の点灯制御用クロック変更前に、前記光ビーム検知手段による前記光ビームの検知のために点灯させる光ビーム点灯タイミングを前記光ビーム検知の前に変更する第１の光ビーム点灯タイミング変更手段と、
を備えていることを特徴とする画像形成装置。
【請求項１６】
前記クロック生成手段は、ＰＬＬ回路を備えていることを特徴とする請求項１５に記載の画像形成装置。
【請求項１７】
前記クロック生成手段は、
ＰＬＬ回路と、
前記発光源の点灯制御用クロックの位相を当該クロック１周期の１／ｎ単位（ｎは２以上の整数）で主走査方向の１箇所または複数箇所で可変する位相可変手段と、
を備えていることを特徴とする請求項１５に記載の画像形成装置。
【請求項１８】
前記発光源の点灯制御用クロックの変更を前記位相可変手段で行うことを特徴とする請求項１７に記載の画像形成装置。
【請求項１９】
前記第１の光ビーム点灯タイミング変更手段は、
変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えていることを特徴とする請求項１５〜１８のいずれか一つに記載の画像形成装置。
【請求項２０】
前記第１の光ビーム点灯タイミング変更手段は、
前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、
前記第１の判定手段の判定結果に基づき、前記光ビーム点灯タイミングの制御を行う第１の光ビーム点灯タイミング制御手段と、
を備えていることを特徴とする請求項１５〜１８のいずれか一つに記載の画像形成装置。
【請求項２１】
前記第１の光ビーム点灯タイミング変更手段は、
前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えていることを特徴とする請求項１５〜１８のいずれか一つに記載の画像形成装置。
【請求項２２】
副走査方向に回転または移動する像担持体上を光ビームが走査することにより画像を形成する画像形成装置であって、
画像データに応じて点灯制御される発光源と、
前記発光源から出力される光ビームを主走査方向に偏向する偏向手段と、
前記偏向手段により偏向された光ビームを主走査線上で検知する光ビーム検知手段と、
前記発光源の点灯制御用クロックを生成するクロック生成手段と、
前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、
を備えていることを特徴とする画像形成装置。
【請求項２３】
前記クロック生成手段は、ＰＬＬ回路を備えていることを特徴とする請求項２２に記載の画像形成装置。
【請求項２４】
前記クロック生成手段は、
ＰＬＬ回路と、
前記発光源の点灯制御用クロックの位相を当該クロック１周期の１／ｎ単位（ｎは２以上の整数）で主走査方向の１箇所または複数箇所で可変する位相可変手段と、
を備えていることを特徴とする請求項２２に記載の画像形成装置。
【請求項２５】
前記発光源の点灯制御用クロックの変更を前記位相可変手段で行うことを特徴とする請求項２４に記載の画像形成装置。
【請求項２６】
前記第２の光ビーム点灯タイミング変更手段は、
変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えていることを特徴とする請求項２２〜２５のいずれか一つに記載の画像形成装置。
【請求項２７】
前記第２の光ビーム点灯タイミング変更手段は、
前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、
前記第２の判定手段の判定結果に基づき、前記光ビーム点灯タイミングの制御を行う第２の光ビーム点灯タイミング制御手段と、
を備えていることを特徴とする請求項２２〜２５のいずれか一つに記載の画像形成装置。
【請求項２８】
前記第２の光ビーム点灯タイミング変更手段は、
前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えていることを特徴とする請求項２２〜２７のいずれか一つに記載の画像形成装置。
【発明の詳細な説明】
【技術分野】
【０００１】
この発明は、光学装置および画像形成装置に関する。
【背景技術】
【０００２】
従来の光学装置および画像形成装置において、各色の色ずれ補正を行う際に、主走査倍率を可変する制御を行っている（たとえば、特許文献１〜３を参照。）。また、主走査倍率を可変する手段としては、ＰＬＬ回路を用いる場合と、画素クロックの位相を画素クロック１周期の１／ｎ単位（ｎは２以上の整数）で主走査方向の１箇所または複数箇所で可変する位相可変手段を用いる場合がある（たとえば、特許文献４，５を参照。）。特に、位相可変手段を用いると、装置の発光源の点灯制御用クロック（以下、画素クロックという）を１クロック単位でクロック幅を可変することができるため、結果的に、部分的もしくは全体的に画素クロックを可変することが可能となる。
【０００３】
【特許文献１】特許第３３１５４７４号公報
【特許文献２】特許第３４９９９８４号公報
【特許文献３】特許第３５４８２１０号公報
【特許文献４】特開２００３−２７９８７３号公報
【特許文献５】特開平８−２５８３２９号公報
【発明の開示】
【発明が解決しようとする課題】
【０００４】
前述のように、従来の光学装置および画像形成装置では、主走査倍率を変更するために、ＰＬＬ回路や位相可変手段を用いて画素クロックの周波数を変更している。そのため、装置に備えられた光ビーム検知手段による光ビームの検知のために点灯させる光ビーム点灯（以下、ＢＤ点灯という）タイミングや、発光源から出力される光ビームの自動光量調整（以下、ＡＰＣという）を行うために必要な光ビーム点灯（以下、ＡＰＣ点灯という）タイミングをライン開始信号からの画素クロックカウント数で設定し、設定されたカウント数と、ライン開始信号からカウントした画素クロックカウント数とが一致したタイミングでＢＤ点灯、ＡＰＣ点灯信号が出力され、ＢＤ点灯、ＡＰＣ点灯が行われる。
【０００５】
しかしながら、従来の光学装置および画像形成装置では、同じ点灯タイミング設定でも画素クロックが変化すると、点灯が行われる位置が変化する。すなわち、同じ点灯タイミング設定でも画素クロックが速いほどカウントも速く行われるため、主走査方向手前で点灯が開始されることになる。また同様に、画素クロックが遅いほどカウントも遅く行われるため、主走査方向奥側で点灯が開始されることになる。たとえば、図１０に示すように、画素クロックＡ，Ｂ，Ｃの周波数がＣ＜Ａ＜Ｂの関係にある場合、画素クロックＡ、点灯タイミング設定ａでの点灯位置１００１に対して、画素クロックＢ、点灯タイミング設定ａでの点灯位置は主走査方向手前の位置１００２になり、画素クロックＣ、点灯タイミング設定ａでの点灯位置は主走査方向奥側の位置１００３になる。
【０００６】
主走査倍率を揃えるために画素クロックが変化すると、その変化量によっては、走査されるレーザ光が光ビーム検知手段を通りすぎた位置からＢＤ点灯が開始されたり、ＡＰＣ点灯開始位置が画像領域内になるおそれがある。たとえば、図１１に示すように、画素クロックＡ，Ｂ，Ｃの周波数に、Ａ＞Ｂ＞Ｃの関係があり、画素クロックをＡからＢ、もしくはＡからＣに変更した場合、ＢＤ点灯位置が位置１１０１から位置１１０２もしくは位置１１０３へ変わり、結果としてライン開始信号が生成できずに正常な書き込みが行えなくなるおそれが生じる。ＡＰＣ点灯開始位置についても同様に、たとえば位置１１０３など、有効画像領域内に変更されてしまい正しくＡＰＣが行えなくなったり、位置１１０２のように有効画像領域外に変更されたとしても、その位置によってはフレア光が発生して画像に悪影響が現れる場合がある。
【０００７】
そこで、従来は画素クロックを変更する場合、次のような処理を行っていた。図１２は、この処理の手順を示すフローチャートとその各ステップにおける処理内容を説明するための図である。図１２に示すフローチャートにおいて、画素クロックの変更要求があると（ステップＳ１２０１）、画素クロックを変更（例えばＡ→Ｂ）した後（ステップＳ１２０２）、さらに点灯タイミングを変更（例えばａ→ｂ）する（ステップＳ１２０３）。このようにすることで、ＢＤ点灯およびＡＰＣ点灯タイミング設定も変更後の画素クロックで所望の位置から点灯するように変更し、上記問題を解決していた。
【０００８】
しかしこのような解決方法では、画素クロックの変更から点灯タイミング設定変更までの間に時間差がある場合に、画素クロックのみが変更され点灯タイミング設定が変更されていない状態が複数存在する可能性がある。このような場合、点灯タイミング設定が未変更の状態では、ＢＤ点灯およびＡＰＣ点灯が適切な位置で行われず、依然として上記問題が発生する可能性が残るという問題がある。
【０００９】
この発明は、上述した従来技術による問題点を解消するため、画素クロックを変更した場合に対応するライン開始信号の生成が可能な光学装置および画像形成装置を提供することを目的とする。
【課題を解決するための手段】
【００１０】
上述した課題を解決し、目的を達成するため、請求項１にかかる光学装置は、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記光ビーム検知手段による前記光ビームの検知のために点灯させる光ビーム点灯タイミングを前記光ビームの検知の前に変更する第１の光ビーム点灯タイミング変更手段と、を備えていることを特徴とする。
【００１１】
この請求項１に記載の発明によれば、発光源の点灯制御用クロック変更要求があった際、発光源の点灯制御用クロックの変更を行う前に光ビームの検知のために点灯させる光ビーム点灯タイミングを変更することで、発光源の点灯制御用クロック変更後にライン開始信号が生成されなくなるといった不具合を解消することができる。
【００１２】
また、請求項２にかかる光学装置は、請求項１に記載の発明において、前記クロック生成手段が、ＰＬＬ回路を備えていることを特徴とする。
【００１３】
この請求項２に記載の発明によれば、前記クロック生成手段の機能をＰＬＬ回路で実現することができる。
【００１４】
また、請求項３にかかる光学装置は、請求項１に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えていることを特徴とする。
【００１５】
この請求項３に記載の発明によれば、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができる。
【００１６】
また、請求項４にかかる光学装置は、請求項３に記載の発明において、前記発光源の点灯制御用クロックの変更を前記位相可変手段で行うことを特徴とする。
【００１７】
この請求項４に記載の発明によれば、光学装置における発光源の点灯制御用クロックの変更を前記位相可変手段で行うことができる。
【００１８】
また、請求項５にかかる光学装置は、請求項１〜４のいずれか一つに記載の発明において、前記第１の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えていることを特徴とする。
【００１９】
この請求項５に記載の発明によれば、変更後の発光源の点灯制御用クロックと変更前の発光源の点灯制御用クロックを比較して光ビームの検知のために点灯させる光ビーム点灯タイミングの変更を発光源の点灯制御用クロック変更前に行うか否かを判断することができる。
【００２０】
また、請求項６にかかる光学装置は、請求項１〜４のいずれか一つに記載の発明において、前記第１の光ビーム点灯タイミング変更手段が、前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、前記第１の判定手段の判定結果に基づき、前記光ビーム点灯タイミングの制御を行う第１の光ビーム点灯タイミング制御手段と、を備えていることを特徴とする。
【００２１】
この請求項６に記載の発明によれば、発光源の点灯制御用クロック変更前に、変更後の発光源の点灯制御用クロックにおける光ビームの検知のために点灯させる光ビーム点灯位置が、光ビームの検知のために点灯させる光ビーム点灯可能範囲内にあるかどうかを判定し、範囲内であれば光ビームの検知のために点灯させる光ビーム点灯タイミングの変更を行わず、範囲外であれば光ビームの検知のために点灯させる光ビーム点灯タイミングの変更を行うことが可能になる。
【００２２】
また、請求項７にかかる光学装置は、請求項１〜６のいずれか一つに記載の発明において、前記第１の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えていることを特徴とする。
【００２３】
この請求項７に記載の発明によれば、発光源の点灯制御用クロック変更前に、あらかじめ定めてある基準となる発光源の点灯制御用クロックと基準となる光ビームの検知のために点灯させる光ビーム点灯タイミングを、変更後の発光源の点灯制御用クロックと比較し、変更する光ビームの検知のために点灯させる光ビーム点灯のタイミングを決定することができる。
【００２４】
また、請求項８にかかる光学装置は、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、を備えていることを特徴とする。
【００２５】
この請求項８に記載の発明によれば、発光源の点灯制御用クロック変更要求があった際、発光源の点灯制御用クロックの変更を行う前に発光源から出力される光ビームの自動光量調整を行うために必要な光ビーム点灯タイミングを変更することで、発光源の点灯制御用クロック変更後に、発光源から出力される光ビームの自動光量調整を適切に行うことができる。
【００２６】
また、請求項９にかかる光学装置は、請求項８に記載の発明において、前記クロック生成手段が、ＰＬＬ回路を備えていることを特徴とする。
【００２７】
この請求項９に記載の発明によれば、前記クロック生成手段の機能をＰＬＬ回路で実現することができる。
【００２８】
また、請求項１０にかかる光学装置は、請求項８に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えていることを特徴とする。
【００２９】
この請求項１０に記載の発明によれば、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができる。
【００３０】
また、請求項１１にかかる光学装置は、請求項１０に記載の発明において、前記発光源の点灯制御用クロックの変更を前記位相可変手段で行うことを特徴とする。
【００３１】
この請求項１１に記載の発明によれば、光学装置における発光源の点灯制御用クロックの変更を前記位相可変手段で行うことができる。
【００３２】
また、請求項１２にかかる光学装置は、請求項８〜１１のいずれか一つに記載の発明において、前記第２の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えていることを特徴とする。
【００３３】
この請求項１２に記載の発明によれば、変更後の発光源の点灯制御用クロックと変更前の発光源の点灯制御用クロックを比較して発光源から出力される光ビームの自動光量調整を行うために必要な光ビーム点灯タイミングの変更を発光源の点灯制御用クロック変更前に行うか否かを判断することができる。
【００３４】
また、請求項１３にかかる光学装置は、請求項８〜１１のいずれか一つに記載の発明において、前記第２の光ビーム点灯タイミング変更手段が、前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、前記第２の判定手段の判定結果に基づき、前記光ビーム点灯タイミングの制御を行う第２の光ビーム点灯タイミング制御手段と、を備えていることを特徴とする。
【００３５】
この請求項１３に記載の発明によれば、発光源の点灯制御用クロック変更前に、変更後の発光源の点灯制御用クロックにおける発光源から出力される光ビームの自動光量調整を行うために必要な光ビーム点灯位置が、発光源から出力される光ビームの自動光量調整を行うために必要な光ビーム点灯可能範囲内にあるかどうかを判定し、範囲内であれば発光源から出力される光ビームの自動光量調整を行うために必要な光ビーム点灯タイミングの変更を行わず、範囲外であれば発光源から出力される光ビームの自動光量調整を行うために必要な光ビーム点灯タイミングの変更を行うことが可能になる。
【００３６】
また、請求項１４にかかる光学装置は、請求項８〜１３のいずれか一つに記載の発明において、前記第２の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えていることを特徴とする。
【００３７】
この請求項１４に記載の発明によれば、発光源の点灯制御用クロック変更前に、あらかじめ定めてある基準となる発光源の点灯制御用クロックと基準となる発光源から出力される光ビームの自動光量調整を行うために必要な光ビーム点灯タイミングを、変更後の発光源の点灯制御用クロックと比較し、変更する発光源から出力される光ビームの自動光量調整を行うために必要な光ビーム点灯のタイミングを決定することができる。
【００３８】
また、請求項１５にかかる画像形成装置は、副走査方向に回転または移動する像担持体上を光ビームが走査することにより画像を形成する画像形成装置であって、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記光ビーム検知手段による前記光ビームの検知のために点灯させる光ビーム点灯タイミングを前記光ビーム検知の前に変更する第１の光ビーム点灯タイミング変更手段と、を備えていることを特徴とする。
【００３９】
この請求項１５に記載の発明によれば、画像形成装置において、発光源の点灯制御用クロック変更要求があった際、発光源の点灯制御用クロックの変更を行う前に光ビームの検知のために点灯させる光ビーム点灯タイミングを変更することで、発光源の点灯制御用クロック変更後にライン開始信号が生成されなくなる不具合を解消することができる。
【００４０】
また、請求項１６にかかる画像形成装置は、請求項１５に記載の発明において、前記クロック生成手段が、ＰＬＬ回路を備えていることを特徴とする。
【００４１】
この請求項１６に記載の発明によれば、前記クロック生成手段の機能をＰＬＬ回路で実現することができる。
【００４２】
また、請求項１７にかかる画像形成装置は、請求項１５に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えていることを特徴とする。
【００４３】
この請求項１７に記載の発明によれば、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができる。
【００４４】
また、請求項１８にかかる画像形成装置は、請求項１７に記載の発明において、前記発光源の点灯制御用クロックの変更を前記位相可変手段で行うことを特徴とする。
【００４５】
この請求項１８に記載の発明によれば、画像形成装置における発光源の点灯制御用クロックの変更を前記位相可変手段で行うことができる。
【００４６】
また、請求項１９にかかる画像形成装置は、請求項１５〜１８のいずれか一つに記載の発明において、前記第１の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えていることを特徴とする。
【００４７】
この請求項１９に記載の発明によれば、変更後の発光源の点灯制御用クロックと変更前の発光源の点灯制御用クロックを比較して光ビームの検知のために点灯させる光ビーム点灯タイミングの変更を発光源の点灯制御用クロック変更前に行うか否かを判断することができる。
【００４８】
また、請求項２０にかかる画像形成装置は、請求項１５〜１８のいずれか一つに記載の発明において、前記第１の光ビーム点灯タイミング変更手段が、前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、前記第１の判定手段の判定結果に基づき、前記光ビーム点灯タイミングの制御を行う第１の光ビーム点灯タイミング制御手段と、を備えていることを特徴とする。
【００４９】
この請求項２０に記載の発明によれば、発光源の点灯制御用クロック変更前に、変更後の発光源の点灯制御用クロックにおける光ビームの検知のために点灯させる光ビーム点灯位置が、光ビームの検知のために点灯させる光ビーム点灯可能範囲内にあるかどうかを判定し、範囲内であれば光ビームの検知のために点灯させる光ビーム点灯タイミングの変更を行わず、範囲外であれば光ビームの検知のために点灯させる光ビーム点灯タイミングの変更を行うことが可能になる。
【００５０】
また、請求項２１にかかる画像形成装置は、請求項１５〜１８のいずれか一つに記載の発明において、前記第１の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えていることを特徴とする。
【００５１】
この請求項２１に記載の発明によれば、発光源の点灯制御用クロック変更前に、あらかじめ定めてある基準となる発光源の点灯制御用クロックと基準となる光ビームの検知のために点灯させる光ビーム点灯タイミングを、変更後の発光源の点灯制御用クロックと比較し、変更する光ビームの検知のために点灯させる光ビーム点灯のタイミングを決定することができる。
【００５２】
また、請求項２２にかかる画像形成装置は、副走査方向に回転または移動する像担持体上を光ビームが走査することにより画像を形成する画像形成装置であって、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、を備えていることを特徴とする。
【００５３】
この請求項２２に記載の発明によれば、画像形成装置において、発光源の点灯制御用クロック変更要求があった際、発光源の点灯制御用クロックの変更を行う前に発光源から出力される光ビームの自動光量調整を行うために必要な光ビーム点灯タイミングを変更することで、発光源の点灯制御用クロック変更後に正しく発光源から出力される光ビームの自動光量調整を行うことができる。
【００５４】
また、請求項２３にかかる画像形成装置は、請求項２２に記載の発明において、前記クロック生成手段が、ＰＬＬ回路を備えていることを特徴とする。
【００５５】
この請求項２３に記載の発明によれば、前記クロック生成手段の機能をＰＬＬ回路で実現することができる。
【００５６】
また、請求項２４にかかる画像形成装置は、請求項２２に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えていることを特徴とする。
【００５７】
この請求項２４に記載の発明によれば、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができる。
【００５８】
また、請求項２５にかかる画像形成装置は、請求項２４に記載の発明において、前記発光源の点灯制御用クロックの変更を前記位相可変手段で行うことを特徴とする。
【００５９】
この請求項２５に記載の発明によれば、画像形成装置における発光源の点灯制御用クロックの変更を前記位相可変手段で行うことができる。
【００６０】
また、請求項２６にかかる画像形成装置は、請求項２２〜２５のいずれか一つに記載の発明において、前記第２の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えていることを特徴とする。
【００６１】
この請求項２６に記載の発明によれば、変更後の発光源の点灯制御用クロックと変更前の発光源の点灯制御用クロックを比較して発光源から出力される光ビームの自動光量調整を行うために必要な光ビーム点灯タイミングの変更を発光源の点灯制御用クロック変更前に行うか否かを判断することができる。
【００６２】
また、請求項２７にかかる画像形成装置は、請求項２２〜２５のいずれか一つに記載の発明において、前記第２の光ビーム点灯タイミング変更手段が、前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、前記第２の判定手段の判定結果に基づき、前記光ビーム点灯タイミングの制御を行う第２の光ビーム点灯タイミング制御手段と、を備えていることを特徴とする。
【００６３】
この請求項２７に記載の発明によれば、発光源の点灯制御用クロック変更前に、変更後の発光源の点灯制御用クロックにおける発光源から出力される光ビームの自動光量調整を行うために必要な光ビーム点灯位置が、発光源から出力される光ビームの自動光量調整を行うために必要な光ビーム点灯可能範囲内にあるかどうかを判定し、範囲内であれば発光源から出力される光ビームの自動光量調整を行うために必要な光ビーム点灯タイミングの変更を行わず、範囲外であれば発光源から出力される光ビームの自動光量調整を行うために必要な光ビーム点灯タイミングの変更を行うことが可能になる。
【００６４】
また、請求項２８にかかる画像形成装置は、請求項２２〜２７のいずれか一つに記載の発明において、前記第２の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えていることを特徴とする。
【００６５】
この請求項２８に記載の発明によれば、発光源の点灯制御用クロック変更前に、あらかじめ定めてある基準となる発光源の点灯制御用クロックと基準となる発光源から出力される光ビームの自動光量調整を行うために必要な光ビーム点灯タイミングを、変更後の発光源の点灯制御用クロックと比較し、変更する発光源から出力される光ビームの自動光量調整を行うために必要な光ビーム点灯のタイミングを決定することができる。
【発明の効果】
【００６６】
以上説明したように、請求項１に記載の発明によれば、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記光ビーム検知手段による前記光ビームの検知のために点灯させる光ビーム点灯タイミングを前記光ビーム検知の前に変更する第１の光ビーム点灯タイミング変更手段と、を備えているので、発光源の点灯制御用クロック変更要求があった際に、発光源の点灯制御用クロックの変更を行う前に光ビームの検知のために点灯させる光ビーム点灯タイミングを変更することで、発光源の点灯制御用クロック変更後にライン開始信号が生成されなくなるといった不具合を解消することができるという効果を奏する。
【００６７】
また、請求項２に記載の発明によれば、請求項１に記載の発明において、前記クロック生成手段が、ＰＬＬ回路を備えているので、前記クロック生成手段の機能をＰＬＬ回路で実現することができるという効果を奏する。
【００６８】
また、請求項３に記載の発明によれば、請求項１に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えているので、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができるという効果を奏する。
【００６９】
また、請求項４に記載の発明によれば、請求項３に記載の発明において、前記発光源の点灯制御用クロックの変更を前記位相可変手段で行うので、光学装置における発光源の点灯制御用クロックの変更を前記位相可変手段で行うことができるという効果を奏する。
【００７０】
また、請求項５に記載の発明によれば、請求項１〜４のいずれか一つに記載の発明において、前記第１の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えているので、変更後の発光源の点灯制御用クロックと変更前の発光源の点灯制御用クロックを比較して光ビームの検知のために点灯させる光ビーム点灯タイミングの変更を発光源の点灯制御用クロック変更前に行うか否かを判断することができるという効果を奏する。
【００７１】
また、請求項６に記載の発明によれば、請求項１〜４のいずれか一つに記載の発明において、前記第１の光ビーム点灯タイミング変更手段が、前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、前記第１の判定手段の判定結果に基づき、前記光ビーム点灯タイミングの制御を行う第１の光ビーム点灯タイミング制御手段と、を備えているので、発光源の点灯制御用クロック変更前に、変更後の発光源の点灯制御用クロックにおける光ビームの検知のために点灯させる光ビーム点灯位置が、光ビームの検知のために点灯させる光ビーム点灯可能範囲内にあるかどうかを判定し、範囲内であれば光ビームの検知のために点灯させる光ビーム点灯タイミングの変更を行わず、範囲外であれば光ビームの検知のために点灯させる光ビーム点灯タイミングの変更を行うことが可能になるという効果を奏する。
【００７２】
また、請求項７に記載の発明によれば、請求項１〜６のいずれか一つに記載の発明において、前記第１の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えているので、発光源の点灯制御用クロック変更前に、あらかじめ定めてある基準となる発光源の点灯制御用クロックと基準となる光ビームの検知のために点灯させる光ビーム点灯タイミングを、変更後の発光源の点灯制御用クロックと比較し、変更する光ビームの検知のために点灯させる光ビーム点灯のタイミングを決定することができるという効果を奏する。
【００７３】
また、請求項８に記載の発明によれば、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、を備えているので、発光源の点灯制御用クロック変更要求があった際、発光源の点灯制御用クロックの変更を行う前に発光源から出力される光ビームの自動光量調整を行うために必要な光ビーム点灯タイミングを変更することで、発光源の点灯制御用クロック変更後に正しく発光源から出力される光ビームの自動光量調整を行うことができるという効果を奏する。
【００７４】
また、請求項９に記載の発明によれば、請求項８に記載の発明において、前記クロック生成手段が、ＰＬＬ回路を備えているので、前記クロック生成手段の機能をＰＬＬ回路で実現することができるという効果を奏する。
【００７５】
また、請求項１０に記載の発明によれば、請求項８に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えているので、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができるという効果を奏する。
【００７６】
また、請求項１１に記載の発明によれば、請求項１０に記載の発明において、前記発光源の点灯制御用クロックの変更を前記位相可変手段で行うので、光学装置における発光源の点灯制御用クロックの変更を前記位相可変手段で行うことができるという効果を奏する。
【００７７】
また、請求項１２に記載の発明によれば、請求項８〜１１のいずれか一つに記載の発明において、前記第２の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えているので、変更後の発光源の点灯制御用クロックと変更前の発光源の点灯制御用クロックを比較して発光源から出力される光ビームの自動光量調整を行うために必要な光ビーム点灯タイミングの変更を発光源の点灯制御用クロック変更前に行うか否かを判断することができるという効果を奏する。
【００７８】
また、請求項１３に記載の発明によれば、請求項８〜１１のいずれか一つに記載の発明において、前記第２の光ビーム点灯タイミング変更手段が、前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、前記第２の判定手段の判定結果に基づき、前記光ビーム点灯タイミングの制御を行う第２の光ビーム点灯タイミング制御手段と、を備えているので、発光源の点灯制御用クロック変更前に、変更後の発光源の点灯制御用クロックにおける発光源から出力される光ビームの自動光量調整を行うために必要な光ビーム点灯位置が、発光源から出力される光ビームの自動光量調整を行うために必要な光ビーム点灯可能範囲内にあるかどうかを判定し、範囲内であれば発光源から出力される光ビームの自動光量調整を行うために必要な光ビーム点灯タイミングの変更を行わず、範囲外であれば発光源から出力される光ビームの自動光量調整を行うために必要な光ビーム点灯タイミングの変更を行うことが可能になるという効果を奏する。
【００７９】
また、請求項１４に記載の発明によれば、請求項８〜１３のいずれか一つに記載の発明において、前記第２の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えているので、発光源の点灯制御用クロック変更前に、あらかじめ定めてある基準となる発光源の点灯制御用クロックと基準となる発光源から出力される光ビームの自動光量調整を行うために必要な光ビーム点灯タイミングを、変更後の発光源の点灯制御用クロックと比較し、変更する発光源から出力される光ビームの自動光量調整を行うために必要な光ビーム点灯のタイミングを決定することができるという効果を奏する。
【００８０】
また、請求項１５に記載の発明によれば、副走査方向に回転または移動する像担持体上を光ビームが走査することにより画像を形成する画像形成装置であって、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記光ビーム検知手段による前記光ビームの検知のために点灯させる光ビーム点灯タイミングを前記光ビーム検知の前に変更する第１の光ビーム点灯タイミング変更手段と、を備えているので、画像形成装置において、発光源の点灯制御用クロック変更要求があった際に、発光源の点灯制御用クロックの変更を行う前に光ビームの検知のために点灯させる光ビーム点灯タイミングを変更することで、発光源の点灯制御用クロック変更後にライン開始信号が生成されなくなる不具合を解消することができるという効果を奏する。
【００８１】
また、請求項１６に記載の発明によれば、請求項１５に記載の発明において、前記クロック生成手段が、ＰＬＬ回路を備えているので、前記クロック生成手段の機能をＰＬＬ回路で実現することができるという効果を奏する。
【００８２】
また、請求項１７に記載の発明によれば、請求項１５に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えているので、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができるという効果を奏する。
【００８３】
また、請求項１８に記載の発明によれば、請求項１７に記載の発明において、前記発光源の点灯制御用クロックの変更を前記位相可変手段で行うので、画像形成装置における発光源の点灯制御用クロックの変更を前記位相可変手段で行うことができるという効果を奏する。
【００８４】
また、請求項１９に記載の発明によれば、請求項１５〜１８のいずれか一つに記載の発明において、前記第１の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第１のクロック変更判断手段を備えているので、変更後の発光源の点灯制御用クロックと変更前の発光源の点灯制御用クロックを比較して光ビームの検知のために点灯させる光ビーム点灯タイミングの変更を発光源の点灯制御用クロック変更前に行うか否かを判断することができるという効果を奏する。
【００８５】
また、請求項２０に記載の発明によれば、請求項１５〜１８のいずれか一つに記載の発明において、前記第１の光ビーム点灯タイミング変更手段が、前記発光源の点灯制御用クロックの変更前に、変更後の前記発光源の点灯制御用クロックによる光ビーム点灯が開始される主走査線上の位置が、前記光ビーム点灯の可能範囲内にあるかどうかを判定する第１の判定手段と、前記第１の判定手段の判定結果に基づき、前記光ビーム点灯タイミングの制御を行う第１の光ビーム点灯タイミング制御手段と、を備えているので、発光源の点灯制御用クロック変更前に、変更後の発光源の点灯制御用クロックにおける光ビームの検知のために点灯させる光ビーム点灯位置が、光ビームの検知のために点灯させる光ビーム点灯可能範囲内にあるかどうかを判定し、範囲内であれば光ビームの検知のために点灯させる光ビーム点灯タイミングの変更を行わず、範囲外であれば光ビームの検知のために点灯させる光ビーム点灯タイミングの変更を行うことが可能になるという効果を奏する。
【００８６】
また、請求項２１に記載の発明によれば、請求項１５〜１８のいずれか一つに記載の発明において、前記第１の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第１の光ビーム点灯タイミング決定手段を備えているので、発光源の点灯制御用クロック変更前に、あらかじめ定めてある基準となる発光源の点灯制御用クロックと基準となる光ビームの検知のために点灯させる光ビーム点灯タイミングを、変更後の発光源の点灯制御用クロックと比較し、変更する光ビームの検知のために点灯させる光ビーム点灯のタイミングを決定することができるという効果を奏する。
【００８７】
また、請求項２２に記載の発明によれば、副走査方向に回転または移動する像担持体上を光ビームが走査することにより画像を形成する画像形成装置であって、画像データに応じて点灯制御される発光源と、前記発光源から出力される光ビームを主走査方向に偏向する偏向手段と、前記偏向手段により偏向された光ビームを主走査線上で検知する光ビーム検知手段と、前記発光源の点灯制御用クロックを生成するクロック生成手段と、前記発光源の点灯制御用クロックを変更する際、当該発光源の点灯制御用クロック変更前に、前記発光源から出力される光ビームの自動光量調整を行うために必要な光ビーム点灯タイミングを変更する第２の光ビーム点灯タイミング変更手段と、を備えているので、画像形成装置において、発光源の点灯制御用クロック変更要求があった際に、発光源の点灯制御用クロックの変更を行う前に発光源から出力される光ビームの自動光量調整を行うために必要な光ビーム点灯タイミングを変更することで、発光源の点灯制御用クロック変更後に正しく発光源から出力される光ビームの自動光量調整を行うことができるという効果を奏する。
【００８８】
また、請求項２３に記載の発明によれば、請求項２２に記載の発明において、前記クロック生成手段が、ＰＬＬ回路を備えているので、前記クロック生成手段の機能をＰＬＬ回路で実現することができるという効果を奏する。
【００８９】
また、請求項２４に記載の発明によれば、請求項２２に記載の発明において、前記クロック生成手段が、ＰＬＬ回路と、前記発光源の点灯制御用クロックの位相を当該クロック１周期の１／ｎ単位（ｎは２以上の整数）で主走査方向の１箇所または複数箇所で可変する位相可変手段と、を備えているので、前記クロック生成手段の機能を、ＰＬＬ回路と、発光源の点灯制御用クロックの位相を発光源の点灯制御用クロック１周期の１／ｎ単位（ｎは２以上の整数）で主走査方向の１箇所または複数箇所で可変する位相可変手段で実現することができるという効果を奏する。
【００９０】
また、請求項２５に記載の発明によれば、請求項２４に記載の発明において、前記発光源の点灯制御用クロックの変更を前記位相可変手段で行うので、画像形成装置における発光源の点灯制御用クロックの変更を前記位相可変手段で行うことができるという効果を奏する。
【００９１】
また、請求項２６に記載の発明によれば、請求項２２〜２５のいずれか一つに記載の発明において、前記第２の光ビーム点灯タイミング変更手段が、変更後の前記発光源の点灯制御用クロックと変更前の前記発光源の点灯制御用クロックとを比較し、前記光ビーム点灯タイミングの変更を前記発光源の点灯制御用クロックの変更前に行うか否かを判断する第２のクロック変更判断手段を備えているので、変更後の発光源の点灯制御用クロックと変更前の発光源の点灯制御用クロックを比較して発光源から出力される光ビームの自動光量調整を行うために必要な光ビーム点灯タイミングの変更を発光源の点灯制御用クロック変更前に行うか否かを判断することができるという効果を奏する。
【００９２】
また、請求項２７に記載の発明によれば、請求項２２〜２５のいずれか一つに記載の発明において、前記第２の光ビーム点灯タイミング変更手段が、前記発光源の点灯制御用クロックの変更前に、変更後の前記発光源の点灯制御用クロックに基づき前記発光源から出力される光ビームの自動光量調整を行うために必要な光ビーム点灯が開始される主走査線上の位置が、前記光ビーム点灯可能範囲内にあるかどうかを判定する第２の判定手段と、前記第２の判定手段の判定結果に基づき、前記光ビーム点灯タイミングの制御を行う第２の光ビーム点灯タイミング制御手段と、を備えているので、発光源の点灯制御用クロック変更前に、変更後の発光源の点灯制御用クロックにおける発光源から出力される光ビームの自動光量調整を行うために必要な光ビーム点灯位置が、発光源から出力される光ビームの自動光量調整を行うために必要な光ビーム点灯可能範囲内にあるかどうかを判定し、範囲内であれば発光源から出力される光ビームの自動光量調整を行うために必要な光ビーム点灯タイミングの変更を行わず、範囲外であれば発光源から出力される光ビームの自動光量調整を行うために必要な光ビーム点灯タイミングの変更を行うことが可能になるという効果を奏する。
【００９３】
また、請求項２８に記載の発明によれば、請求項２２〜２７のいずれか一つに記載の発明において、前記第２の光ビーム点灯タイミング変更手段が、前記発光源の点灯制御用クロックの変更前に、あらかじめ定められている基準となる前記発光源の点灯制御用クロックと前記光ビーム点灯タイミングを、変更後の前記発光源の点灯制御用クロックと比較し、変更する前記光ビーム点灯タイミングを決定する第２の光ビーム点灯タイミング決定手段を備えているので、発光源の点灯制御用クロック変更前に、あらかじめ定めてある基準となる発光源の点灯制御用クロックと基準となる発光源から出力される光ビームの自動光量調整を行うために必要な光ビーム点灯タイミングを、変更後の発光源の点灯制御用クロックと比較し、変更する発光源から出力される光ビームの自動光量調整を行うために必要な光ビーム点灯のタイミングを決定することができるという効果を奏する。
【発明を実施するための最良の形態】
【００９４】
以下、添付図面を参照して、この発明にかかる光学装置および画像形成装置の好適な実施の形態を詳細に説明する。
【００９５】
図１は、この発明の実施の形態にかかる画像形成装置の概略構成を示す図である。この画像形成装置は、まず帯電器１０１によって感光体１０７を帯電させる。帯電した感光体１０７に、光学装置１０２によって画像情報に応じた光照射を行って潜像を形成する。ここで形成された潜像を現像器１０３によって現像する。現像した像を、給紙部１０４から送られるシート材等に転写部１０５によって転写する。シート材等に転写された像を、定着部１０６によって定着する。クリーニング部１０８にて感光体１０７をクリーニングする。カラー画像を形成する場合は、カラー構成色（シアン、マゼンダ、イエロー、ブラックなど）ごとに像を形成し、シート材等に各色の像を重ねて転写することによりカラー画像を形成する。
【００９６】
また、図２は、画像形成装置の一例であるデジタル複写機の概略構成を示す図である。このデジタル複写機は、原稿画像を読み取るスキャナ部２０１、読み取った信号をＡ／Ｄ変換して黒オフセット補正、シェーディング補正、画像処理を行うＩＰＵ２０２、プリンタ部の制御を行うＧＡＶＤ２０３、半導体レーザの制御を行うＬＤ制御部２０４、ドラム上に静電潜像データの結像を行うＬＤ２０５、装置全体の制御を実行するＣＰＵ２０６、制御プログラムが格納されているＲＯＭ２０７、制御プログラムが一時的に使用するＲＡＭ２０８、読み取った画像を記憶する画像メモリ２０９、各装置間のデータのやりとりを行う内部システムバス２１０、内部システムバス２１０とＩＰＵ２０２との間のインターフェースを行うローカルＩ／Ｆ２１１、およびユーザが指示を与える操作部２１２を含み構成される。このデジタル複写機では、スキャナ部２０１で読みとった画像をプリンタ部にて感光体１０７に静電潜像として画像を出力する際、ＣＰＵ２０６にて紙の副走査位置制御を行っており、ＣＰＵ２０６からＧＡＶＤ２０３へスタート信号が出力される。ＧＡＶＤ２０３は、スタート信号基準にて、前段のＩＰＵ２０２より画像データを受信し、画像データを元にＬＤ制御部２０４がＬＤ２０５を点灯させる。
【００９７】
次に、図１に示した光学装置１０２について説明する。図３は、光学装置１０２の構成を示す図である。この光学装置１０２では、まず、半導体ＬＤ（レーザダイオード）３０１からレーザが発光される。発光されたレーザはポリゴンミラー３０２が回転することにより一方向に走査される。ポリゴンミラー３０２の回転は、ポリゴン制御部３０７により制御される。走査されたレーザはＦθレンズ３０３を介して被走査媒体（感光体）３０５上に潜像を形成する。また、走査されたレーザは、被走査媒体３０５の延長上にある光ビーム検知部３０４を横切ることで検知され、検知信号が出力される。出力された検知信号を用いて、ドット位置ズレ検出、制御部３１０にて主走査方向の位置ズレを検出し、位置ズレを補正するデータを画素クロック生成部３０９へ出力する。出力された検知信号と、画像処理部３１１で処理された画像データと、画素クロック生成部３０９によって生成された画素クロックに従い、ＬＤ駆動データ生成部３０８にてＬＤ駆動データが生成される。生成されたＬＤ駆動データを基に、ＬＤ制御部３０６が半導体ＬＤ３０１の点灯を制御する。
【００９８】
ところで、画像は一般的に複数ラインに渡るため、上記プロセスを各ライン毎に行う。そのため、画像書き出し位置を各ラインで揃える必要がある。書き出し位置が各ラインでずれていると、最終的に形成された画像で副走査方向のラインが曲がる、もしくはずれた形で現れてくるからである。このため、画像書き出し位置を揃える手段として、光ビーム検知部３０４を主走査線上に配置し、光ビーム検知部３０４にレーザが入射した時に出力される検知信号を基に各ライン開始信号を生成し、画像書き込みを行う。
【００９９】
また、カラー画像形成装置においては、光学装置１０２によって形成される潜像は、各色で主走査倍率が揃っている必要がある。転写された各色の画像幅がずれていると、最終的には色ずれとして現れてくるからである。主走査倍率は、環境や機械の温度の影響によって変化するため、各色で主走査倍率を揃える制御が必要となる。主走査倍率は、画素クロック生成部３０９で画素クロックを可変することで制御されており、画素クロック生成部３０９にはＰＬＬ回路と位相可変手段を用いている。
【０１００】
また、半導体ＬＤ３０１の光量は機械温度などの影響によって変化する。半導体ＬＤ３０１の光量が変化すると、被走査媒体３０５上に生成される潜像も変化してしまうため、一定周期ごとに半導体ＬＤ３０１の光量を一定に保つように制御する必要がある。この制御方法には、半導体ＬＤ３０１内部、もしくは外部に設置されたフォト・ダイオードによって検出した光量をフィードバックして制御する自動光量調整が一般的に知られている。ＡＰＣは画像領域外で行う事が一般的であり、よってＡＰＣを行うために必要なＬＤ点灯（ＡＰＣ点灯）も、画像領域外で行われる。レーザ光の安全性を考慮すると、画像領域外では半導体ＬＤ３０１を消灯させておくことが望ましい。しかし、画像領域外で半導体ＬＤ３０１を消灯させておくと光ビーム検知部３０４にもレーザが入射しなくなり、同様にＡＰＣ点灯も行わなくなるため、画像領域外の適切なタイミングにて、半導体ＬＤ３０１の点灯を行うように制御する。
【０１０１】
したがって、ＢＤ点灯タイミング、ＡＰＣ点灯タイミングを設定して、主走査線上の望みの位置から光照射が行われるように半導体ＬＤ３０１を制御する必要がある（ＢＤ点灯は、ＢＤ点灯用信号が出力されると点灯を開始し、光ビーム検知部３０４にレーザ光が入射すると消灯する）。これらのタイミングはライン開始信号を基準として、基準からの時間や、基準からの画素クロックカウント数などで設定される。
【０１０２】
ＢＤ点灯用およびＡＰＣ点灯用信号は、カウンタ３１２、点灯タイミング設定値３１３、比較器３１４を用いて生成する。カウンタ３１２は画素クロック生成部３０９にて生成された画素クロックをカウントし、ライン開始信号でリセットされる。カウンタ値は比較器３１４にて、点灯タイミング設定値３１３と比較され、カウンタ値と設定値が等しくなった時、点灯信号がＬＤ駆動データ生成部３０８へ出力される。
【０１０３】
しかし、ＣＰＵ２０６から主走査倍率を変更するために画素クロック変更要求があり、画素クロックを変更した場合、前述のとおり、同じＢＤ，ＡＰＣ点灯タイミング設定でも、実際のＢＤ，ＡＰＣ点灯位置がずれてしまう問題が発生する。そこで、この実施の形態では、以下のようにしてかかる問題を解決する。
【０１０４】
図４は、主走査倍率を変更するため行う画素クロック変更の処理手順を示すフローチャートとその各ステップにおける処理内容を説明するための図である。図１に示した画像形成装置において、主走査倍率を変更するために画素クロック変更の要求があると（ステップＳ４０１）、まずＢＤ点灯タイミングを変更し（ステップＳ４０２）、その後画素クロックを変更する（ステップＳ４０３）。このような処理手順により上記問題を解決する。ＡＰＣ点灯タイミングについても同様である。
【０１０５】
この発明の実施の形態の画像形成装置では、画素クロックを変更する前に点灯タイミング設定値を変更することで、画素クロック直後から正しいタイミングにて点灯が行われる。画素クロックの変更をＰＬＬ回路で行う場合、画素クロックＡ、ＢＤ点灯タイミング設定ａから、画素クロックＢに変更する時に変更後のＢＤ点灯タイミング設定ｂを求めるためには、
ｂ＝ａ×Ｂ／Ａ
を計算する方法がある。ＡＰＣ点灯タイミング設定の変更方法も同様である。
【０１０６】
画素クロックの変更を位相可変手段で行う場合、１ライン全体で可変したクロック幅変化量の合計を画素クロック単位に変換した値をαとすると、ＢＤ点灯タイミング設定ｂは、
ｂ＝ａ−α
により求められる。すなわち、クロック幅を伸ばす方向にパルスが挿入される（αが正）と、カウントされるスピードが減少するので、ＢＤ点灯タイミング設定ｂを小さくする。逆にパルスを縮める方向にパルスが挿入される（αが負）と、カウントされるスピードが増加するので、ＢＤ点灯タイミング設定ｂを大きくする。ＡＰＣ点灯タイミング設定の変更方法も同様である。
【０１０７】
なお、ＰＬＬ回路、位相可変手段のどちらで画素クロックを変更した場合でも、点灯タイミング設定値を求めることができる。
【０１０８】
ところで、図４に示した手順では、画素クロック変更要求があった場合、一律ＢＤ，ＡＰＣ点灯タイミング設定を変更したが、必ずしもＢＤ，ＡＰＣ点灯タイミングを設定しなおす必要はない。これは、画素クロック変更前のＢＤ，ＡＰＣ点灯タイミングにおいて、画素クロック変更後のＢＤ，ＡＰＣ点灯位置が、光ビーム検知部３０４で光ビームの検知が不可能な位置、もしくはＡＰＣ点灯不可能な位置になるかどうかは、画素クロックの変更具合によって決まるからである。
【０１０９】
図５は、同じ点灯タイミング設定ａの時に、画素クロックＡから画素クロックＢ〜Ｄのいずれかに変更した場合における、画素クロック変更後の点灯位置を示す図である。ただし、それぞれの画素クロックの周波数には、Ｂ＞Ａ＞Ｃ＞Ｄの関係がある。５０１は、画素クロックＡ、ＢＤ点灯タイミング設定ａにおける点灯位置である。
【０１１０】
たとえば、画素クロック変更後、図５の位置５０４のように光ビーム検知が不可能な位置から点灯を開始する場合はＢＤ点灯タイミング設定を変更する必要があるが、図５の位置５０２，５０３のように、画素クロック変更後の点灯位置が光ビーム検知部３０４の手前になるのであれば、ＢＤ点灯タイミングを設定しなおす必要はない。
【０１１１】
そこで、図６のフローチャートに示すように、主走査倍率を変更するために画素クロック変更要求を受けると（ステップＳ６０１）、変更前と変更後の画素クロックの比較を行う（ステップＳ６０２）。そして、ＢＤ，ＡＰＣ点灯タイミングを変更する必要があるか否かを判断する（ステップＳ６０３）。ここで、ＢＤ，ＡＰＣ点灯タイミングを変更する必要がある場合（ステップＳ６０３：Ｙｅｓ）は、ＢＤ，ＡＰＣ点灯タイミングを変更した後（ステップＳ６０４）、画素クロックを変更する（ステップＳ６０５）。一方、ＢＤ，ＡＰＣ点灯タイミングを変更する必要がない場合（ステップＳ６０３：Ｎｏ）は、ＢＤ，ＡＰＣ点灯タイミングを変更せずに、画素クロックを変更する（ステップＳ６０５）。このような手順の処理を行うことで、画素クロック変更後にライン開始信号が生成されない、もしくは正しくＡＰＣが行えないといった不具合を回避することが可能になる。
【０１１２】
なお、図６のフローチャートに示した、変更前の画素クロックと変更後の画素クロックを比較する方法としては、それぞれの周波数の大小を用いることが考えられる。
【０１１３】
また、画素クロック変更要求があった場合、画素クロックを速い方向に変更する場合、ＢＤ，ＡＰＣ点灯は変更前のＢＤ，ＡＰＣ点灯位置よりも手前から行われることになる。そのため、光ビーム検知部３０４の後方からＢＤ点灯する可能性や、画像領域内でＡＰＣ点灯する可能性がないため、ＢＤ，ＡＰＣ点灯位置を変更する必要はない。
【０１１４】
一方、画素クロックを遅い方向に変更する場合、ＢＤ，ＡＰＣ点灯は変更前のＢＤ，ＡＰＣ点灯位置よりも後方から行われることになる。そのため、光ビーム検知部３０４の後方からＢＤ点灯する可能性、もしくは画像領域内でＡＰＣ点灯する可能性があるため、画素クロック変更前にＢＤ，ＡＰＣ点灯位置を変更し、その後、画素クロックを変更する。先に点灯タイミング設定が変更されても、遅い画素クロックにあわせて点灯タイミング設定を変更するため、変更後の点灯タイミング設定値は、変更前よりも小さくなる。そのため、変更後の点灯位置は変更前の点灯位置よりも主走査方向手前側となるので、上記問題は発生しない。
【０１１５】
また、ＰＬＬ回路を用いて画素クロックＡから画素クロックＢに変更する場合は、次のような処理を行う。図７は、この場合の処理手順を示すフローチャートとその各ステップにおける処理内容を説明するための図である。図７に示すフローチャートにおいて、主走査倍率を変更するために画素クロック変更要求を受けると（ステップＳ７０１）、画素クロックを変更する前に、変更前の画素クロックＡと変更後の画素クロックＢの周波数を比較し、たとえばＡ＞Ｂか否かを判定する（ステップＳ７０２）。ここで、変更後の周波数が変更前よりも遅い場合、すなわちＡ＞Ｂならば（ステップＳ７０２：Ｙｅｓ）、ＢＤ点灯タイミングを変更し（ステップＳ７０３）、画素クロックを変更する（ステップＳ７０４）。一方、変更後の周波数が変更前よりも速い場合、すなわちＡ≦Ｂならば（ステップＳ７０２：Ｎｏ）、ＢＤ点灯タイミングは変更せずに、画素クロックを変更する（ステップＳ７０４）。なお、図７はＢＤ点灯タイミングに関する一例であるが、ＡＰＣ点灯タイミングについても同様である。
【０１１６】
ここで、画素クロックの変更をＰＬＬ回路で行う場合、画素クロックＡ、ＢＤ点灯タイミング設定ａから、画素クロックＢに変更する時に、変更後のＢＤ点灯タイミング設定ｂを求めるためには、
ｂ＝ａ×Ｂ／Ａ  
を計算する方法がある。ＡＰＣ点灯タイミング設定の変更方法も同様である。
【０１１７】
また、位相可変手段を用いて画素クロックを変更する場合、画素クロック変更前と変更後で、主走査１ライン分の画素クロック数が増加するか減少するかで、場合分けを行う。１ライン全体で可変したクロック幅変化量の合計を、画素クロック単位に変換した値をαとすると、その手順は図８のフローチャートのようになる。
【０１１８】
図８のフローチャートにおいて、主走査倍率を変更するために画素クロック変更要求を受けると（ステップＳ８０１）、１ライン全体で可変したクロック幅変化量の合計を画素クロック単位に変換した値α＞０であるか否かを判定する（ステップＳ８０２）。ここで、α＞０であれば（ステップＳ８０２：Ｙｅｓ）、点灯タイミングに関して画素クロックの増加と同様のことが起こるため、点灯タイミング設定ｂを変更した後（ステップＳ８０３）、画素クロックを変更する（ステップＳ８０４）。一方、α＞０でなければ（ステップＳ８０２：Ｎｏ）、点灯タイミング設定ｂの変更を行わず、画素クロックを変更する（ステップＳ８０４）。
【０１１９】
なお、ステップＳ８０３における、ＢＤ点灯タイミング設定ｂは、
ｂ＝ａ−α  
として計算する。ＡＰＣ点灯タイミング設定の変更方法も同様である。また、ＰＬＬ回路、位相可変手段のどちらで画素クロックを変更した場合でも、この図８のフローチャートに示した手順で点灯タイミング設定値を求めることができる。
【０１２０】
また、画素クロックが速くなる場合には、ＢＤ，ＡＰＣ点灯タイミング設定を変更する必要はない。これは、同じＢＤ，ＡＰＣ点灯タイミング設定において画素クロックが速くなる場合は、ＢＤ，ＡＰＣ点灯開始位置は手前にシフトするため、必ず画素クロック変更前の点灯開始位置よりも手前から点灯を開始するためである。しかし、光ビーム検知部３０４の手前側にも、たとえば１ライン前の画像領域の終端よりも手前からＢＤ，ＡＰＣ点灯を開始するなど、ＢＤ，ＡＰＣ点灯が開始されると問題があるような範囲がある場合は、画素クロックを速い方向に変化させて、ＢＤ，ＡＰＣ点灯タイミング設定を変更しなおす必要がある。図９は、この場合の処理手順を示すフローチャートとその各ステップにおける処理内容を説明するための図である。９１１は、画素クロックＢ、ＢＤ点灯タイミング設定ａでの点灯位置が、ＢＤ点灯可能範囲の中に位置している場合、９１２，９１３はＢＤ点灯可能範囲の外に位置している場合である。
【０１２１】
図９に示すフローチャートにおいて、画素クロックＡから画素クロックＢに変更する場合、画素クロック変更要求を受けると（ステップＳ９０１）、変更後の画素クロックにおけるＢＤ点灯位置が、ＢＤ点灯可能範囲内か否かを判定する（ステップＳ９０２）。ここで、当該範囲内であれば（ステップＳ９０２：Ｙｅｓ）、ＢＤ点灯タイミングの変更を行わず、画素クロックを変更する（ステップＳ９０４）。一方、当該範囲外であれば（ステップＳ９０２：Ｎｏ）、ＢＤ点灯タイミングの変更を行った後（ステップＳ９０３）、画素クロックを変更する（ステップＳ９０４）。なお、図９はＢＤ点灯タイミングの例であり、ＡＰＣ点灯タイミングについても同様である。
【０１２２】
ここで、ＢＤ点灯可能範囲内にあるかどうかを判定する方法の一例として、ある画素クロックＣにおいて、ＢＤ点灯可能範囲に相当する、画素クロックカウント数を調べる方法がある。いま、ＢＤ点灯可能範囲開始タイミングカウント値をβ、ＢＤ点灯可能範囲終了タイミングカウント値をγとすると、変更後の画素クロックＢにおける、ＢＤ点灯可能範囲は、
ＢＤ点灯可能範囲開始タイミング：β×Ｂ／Ｃ
ＢＤ点灯可能範囲終了タイミング：γ×Ｂ／Ｃ
で求められる。また、現在のＢＤ点灯タイミング設定をａとした場合、（β×Ｂ／Ｃ）≦ａ≦（γ×Ｂ／Ｃ）であればＢＤ点灯可能範囲内、そうでなければ範囲外として判定することができる。
【０１２３】
また、位相可変手段を用いて画素クロックの変更を行う場合において、ＢＤ点灯可能範囲内にあるかどうかを判定する方法としては、ある画素クロックＣにおいて、ＢＤ点灯可能範囲に相当する、画素クロックカウント数を調べる方法がある。ＢＤ点灯可能範囲開始タイミングカウント値をβ、ＢＤ点灯可能範囲終了タイミングカウント値をγとすると、変更後の画素クロックＢにおけるＢＤ点灯可能範囲は、画素クロックＣから画素クロックＢに変更する時に必要な可変するクロック幅変化量の合計を画素クロック単位に変換した値αを用いて、
ＢＤ点灯可能範囲開始タイミング：β−α  
ＢＤ点灯可能範囲終了タイミング：γ−α  
で求められる。また、現在のＢＤ点灯タイミング設定をａとした場合、（β−α）≦ａ≦（γ−α）であればＢＤ点灯可能範囲内、そうでなければ範囲外として判定することができる。
【０１２４】
また、画素クロックの変更をＰＬＬ回路で行う場合、画素クロックＡ、ＢＤ点灯タイミング設定ａから、画素クロックＢに変更するときに変更後のＢＤ点灯タイミング設定ｂを求める方法としては、前述のように、
ｂ = ａ×Ｂ／Ａ  
を計算する方法がある。ＡＰＣ点灯タイミング設定の変更も同様である。
【０１２５】
画素クロックの変更を位相可変手段で行う場合、１ライン全体で可変したクロック幅変化量の合計を画素クロック単位に変換した値をαとすると、ＢＤ点灯タイミング設定ｂは、
ｂ＝ａ−α  
で求めることができる。ＡＰＣ点灯タイミング設定の変更も同様である。
【０１２６】
ＰＬＬ回路、位相可変手段のどちらで画素クロックを変更した場合でも、ここに示した処理により点灯タイミング設定値を求めることができる。
【０１２７】
これまでの説明では、画素クロック変更後のＢＤ，ＡＰＣ点灯タイミングを求める際、変更前の画素クロックと変更後の画素クロックを用いて計算しているが、基準画素クロックと基準ＢＤ，ＡＰＣ点灯タイミングをあらかじめ設定しておくことで、画素クロック変更後のＢＤ，ＡＰＣ点灯タイミング設定を計算することもできる。基準画素クロックと基準ＢＤ，ＡＰＣ点灯タイミングは、光学装置の構成から、光学的に理想な画素クロックと点灯タイミングを計算して求めることができる。
【０１２８】
たとえば、ＰＬＬ回路を用いて画素クロックを変更する場合は、基準画素クロックをＣ、基準ＢＤ点灯タイミングをｃとすると、
ｂ＝ｃ×Ｂ／Ｃ  
で求められる。ＡＰＣ点灯タイミングについても同様である。
【０１２９】
また、位相可変手段を用いて画素クロックを変更する場合、基準画素クロックをＣ、基準点灯タイミングをｃとし、変更後の画素クロックをＢとするとき、基準画素クロックＣから画素クロックＢに変更するのに必要な１ライン全体でのクロック幅変化量の合計を画素クロック単位に変換した値をαとすると、
ｂ＝ｃ−α  
として計算できる。ＡＰＣ点灯タイミングについても同様である。
【０１３０】
以上説明したように、この発明によれば、光学装置において、クロック生成手段によって画素クロックを変更する際、画素クロック変更前にＢＤ点灯タイミングを変更しているため、画素クロック変更後も適切なＢＤ点灯タイミングにて光ビームが点灯し、正確な光ビーム検知が行うことができる。
【０１３１】
また、この発明によれば、光学装置において、クロック生成手段によって画素クロックを変更する際、画素クロック変更前にＡＰＣ点灯タイミングを変更しているため、画素クロック変更後も適切なＡＰＣ点灯タイミングにて光ビームが点灯し、適切なＡＰＣを行うことができる。
【０１３２】
また、この発明によれば、副走査方向に回転または移動する像担持体上を光ビームが走査することにより画像を形成する画像形成装置において、クロック生成手段によって画素クロックを変更する際、画素クロック変更前にＢＤ点灯タイミングを変更しているため、画素クロック変更後も適切なＢＤ点灯タイミングにて光ビームが点灯し、正確な光ビーム検知が行うことができる。特に、カラー画像形成装置の場合には、色ずれ補正における画素クロック変更時に用いることで、精度の良い色ずれ補正を行うことができる。
【０１３３】
また、この発明によれば、画像形成装置において、クロック生成手段によって画素クロックを変更する際、画素クロック変更前にＡＰＣ点灯タイミングを変更しているため、画素クロック変更後も適切なＡＰＣ点灯タイミングにて光ビームが点灯し、適切なＡＰＣを行うことができる。
【産業上の利用可能性】
【０１３４】
以上のように、この発明にかかる光学装置および画像形成装置は、レーザプリンタ、デジタル複写機などに有用であり、特に、画素クロックを変更した場合に対応するライン開始信号の生成が必要な場合に適している。
【図面の簡単な説明】
【０１３５】
【図１】この発明の実施の形態にかかる画像形成装置の概略構成を示す図である。
【図２】画像形成装置の一例であるデジタル複写機の概略構成を示す図である。
【図３】図１に示した画像形成装置を構成する光学装置の構成を示す図である。
【図４】主走査倍率を変更するため行う画素クロック変更の処理手順を示すフローチャートとその各ステップにおける処理内容を説明するための図である。
【図５】同じ点灯タイミング設定時に画素クロックを変更した場合における、画素クロック変更後の点灯位置を示す図である。
【図６】主走査倍率を変更するため行う画素クロック変更の処理手順を示すフローチャートである。
【図７】ＰＬＬ回路を用いて画素クロックを変更する場合の処理手順を示すフローチャートとその各ステップにおける処理内容を説明するための図である。
【図８】位相可変手段を用いて画素クロックを変更する場合の処理手順を示すフローチャートである。
【図９】画素クロックを速くする方向へ変更する場合の処理手順を示すフローチャートとその各ステップにおける処理内容を説明するための図である。
【図１０】従来の光学装置および画像形成装置における、画素クロックの変化とＢＤ点灯、ＡＰＣ点灯が行われる位置との関係を説明するための図である。
【図１１】従来の光学装置および画像形成装置における、画素クロックの変化によるＢＤ点灯、ＡＰＣ点灯位置と有効画像領域内との関係を説明するための図である。
【図１２】従来の光学装置および画像形成装置における、画素クロックを変更する場合の処理手順を示すフローチャートとその各ステップにおける処理内容を説明するための図である。
【符号の説明】
【０１３６】
１０１  帯電器
１０２  光学装置
１０３  現像器
１０４  給紙部
１０５  転写部
１０６  定着部
１０７  感光体
１０８  クリーニング部
２０１  スキャナ部
２０２  ＩＰＵ
２０３  ＧＡＶＤ
２０４  ＬＤ制御部
２０５  ＬＤ
２０６  ＣＰＵ
２０７  ＲＯＭ
２０８  ＲＡＭ
２０９  画像メモリ
２１０  内部システムバス
２１１  ローカルＩ／Ｆ
２１２  操作部
３０１  半導体ＬＤ
３０２  ポリゴンミラー
３０３  Ｆθレンズ
３０４  光ビーム検知部
３０５  被走査媒体
３０６  ＬＤ制御部
３０８  ＬＤ駆動データ生成部
３０９  画素クロック生成部
３１０  ドット位置ズレ検出、制御部
３１１  画像処理部
３１２  カウンタ
３１３  点灯タイミング設定値
３１４  比較器
【図１】
2006234986.tif 000003
【図２】
2006234986.tif 000004
【図３】
2006234986.tif 000005
【図４】
2006234986.tif 000006
【図５】
2006234986.tif 000007
【図６】
2006234986.tif 000008
【図７】
2006234986.tif 000009
【図８】
2006234986.tif 000010
【図９】
2006234986.tif 000011
【図１０】
2006234986.tif 000012
【図１１】
2006234986.tif 000013
【図１２】
2006234986.tif 000014